(57)【要約】【課題】本発明は、平目地用、入隅用および見切り用としての汎用性があり、取付作業を容易且つ迅速に行うことができるようにした目地部材を提供する。【解決手段】この目地部材１は、建造物の室内における壁や天井等の下地面６ａに貼着される化粧シートのようなシート４の端部とシート４の端部との継目を被覆する。目地部材１は、下地面６ａとシート４との間に介在される帯板状の側片部２１を有する下部材２と、下部材２に突設された被係合部２５に嵌合される係止部３１ａを有する上部材３とを備えている。側片部２１には、側片部の突出する幅寸法Ｌを短くするように、側片部を切断するための切断手段２３が下部材２の長手方向に設けられている。【選択図】図４
2018009290.tif 000002
【特許請求の範囲】
【請求項１】
建造物の壁や天井等の下地面に貼着される各種のシートの端部とシートの端部の継目を被覆する目地部材であって、
前記下地面と前記シートとの間に介在される帯板状の側片部およびシートから突出するように突設された被係合部を有する下部材と、
前記下部材に突設された被係合部に嵌合される係止部を有する上部材とを備え、
前記側片部には、側片部の突出する幅寸法を短くするように、側片部を切断するための切断手段が下部材の長手方向に設けられていることを特徴とする目地部材。
【請求項２】
前記切断手段は、切込みからなることを特徴とする請求項１に記載の目地部材。
【請求項３】
前記切断手段は、上部材の先端縁よりも被係合部側に位置するように設定されていることを特徴とする請求項１または請求項２に記載の目地部材。
【発明の詳細な説明】
【技術分野】
【０００１】
本発明は、例えば、建造物の壁や天井等の下地面に貼着された各種のシートの端部とシートの端部との継目を被覆するために使用する目地部材に関する。
【背景技術】
【０００２】
従来、建造物の壁面や天井等の下地面には、表面となる化粧シートのような各種のシートが貼着されている。また、壁面の下地面の全面又は一部面に、磁性体からなる下地シートを貼着し、この下地シートの表面を下地面として、この下地面の上に着磁性を有する化粧シートのようなシートを磁着吸着した壁面の構造も提供されている（例えば、特許文献１参照）。
【０００３】
そして、各種のシートの端部とシートの端部との継目を被覆するための帯状の目地部材も提供されている。
【先行技術文献】
【特許文献】
【０００４】
【特許文献１】実用新案登録第３１７５３３９号公報
【発明の概要】
【発明が解決しようとする課題】
【０００５】
前記化粧シートのようなシートは、壁面等の下地面の全面又は一部面に貼着したり、直角に隣接する壁面等の下地面同士に貼着したりする。したがって、シートの端部同士の継目には、平目地用、入隅用および見切り用といったように、それぞれの複数種類の用途に応じた専用の目地部材が使用されている。
【０００６】
このように、建物の壁面には、複数種類の目地部材が必用となるため、作業者は、現場にそれぞれの目的に応じて製造された専用の目地部材を施工現場まで持っていく必要がある。そして、作業者は、現場の仕様に合致した目地部材を選んで使用するため、従来の目地部材は、取付作業が煩雑となり作業性が悪いものになるという問題がある。
【０００７】
そこで、本発明は、平目地用、入隅用および見切り用としての汎用性があり、取付作業を容易且つ迅速に行うことができるようにした目地部材を提供することを課題とする。
【課題を解決するための手段】
【０００８】
本発明に係る目地部材は、建造物の壁や天井等の下地面に貼着される各種のシートの端部とシートの端部の継目を被覆する目地部材であって、前記下地面と前記シートとの間に介在される帯板状の側片部およびシートから突出するように突設された被係合部を有する下部材と、前記下部材に突設された被係合部に嵌合される係止部を有する上部材とを備え、前記側片部には、側片部の突出する幅寸法を短くするように、側片部を切断するための切断手段が下部材の長手方向に設けられていることを特徴としている。
【０００９】
この目地部材によれば、下部材の側片部を切断することなく使用することにより、平目地用として使用することができ、また、側片部を切断することにより、側片部の突出する幅寸法を短くすることができるため、入隅用および見切り用として使用することができる。このため、この目地部材は、複数種類の使用目的に対応することができ、汎用性に富むこととなり、取付作業を容易かつ迅速に行うことができる。
【００１０】
また、前記本発明の一態様として、前記切断手段は、切込みからなることを特徴としている。この目地部材によれば、前記切断手段を切込みから構成することにより、押出成形により簡単に成形することができる。
【００１１】
また、前記発明の他態様として、前記切断手段は、上部材の先端縁よりも被係合部側に位置するように設定されていることを特徴としている。この目地部材によれば、前記切断手段で切断された下部材の先端が上部材により覆われた状態となるため、入隅および見切り用として使用する場合であっても、下部材が目視し難くすることができる。
【発明の効果】
【００１２】
本発明は、平目地用、入隅用および見切り用としての汎用性があり、取付作業を容易かつ迅速に行うことができるようにした目地部材を提供することができる。
【図面の簡単な説明】
【００１３】
【図１】本発明に係る目地部材の一実施形態を示す斜視図である。
【図２】本発明に係る目地部材の一実施形態を示し、（ａ）は平面図、（ｂ）は正面図、（ｃ）は底面図である。
【図３】本発明に係る目地部材の一実施形態を示す断面図である。
【図４】本発明に係る目地部材の一実施形態を示し、平目地用として使用した場合の分解斜視図である。
【図５】本発明に係る目地部材の一実施形態を示し、平目地用として使用した場合の斜視図である。
【図６】本発明に係る目地部材の一実施形態における使用状態を示し、（ａ）は薄いシートの場合を示す断面図、（ｂ）は厚いシートの場合を示す断面図である。
【図７】本発明に係る目地部材の他実施形態を示す斜視図である。
【図８】本発明に係る目地部材の他実施形態を示す断面図である。
【図９】本発明に係る目地部材の他実施形態であって、見切り用として使用した場合を示す斜視図である。
【図１０】本発明に係る目地部材の他実施形態であって、入隅用として使用した場合を示す斜視図である。
【発明を実施するための形態】
【００１４】
本発明に係る目地部材の実施形態を図面に基づいて説明する。この目地部材１は、建造物における壁や天井等の下地面６ａに貼着される各種の化粧シートのようなシート４の端部とシート４の端部との継目を被覆するために使用する。
【００１５】
図１〜図６に示す第１実施形態の目地部材１は、長尺状を呈しており、下部材２と上部材３とで構成されている。下部材２は、上部材３を連結する被係合部２５を設けた取付部２０と、この取付部２０の基部から両側に突設された帯板状の側片部２１、２１とを備えている。
【００１６】
両方の側片部２１，２１の上面（下地面６ａに重なっていない表面）には、切断手段としての切込み２３，２３が、下部材２の長手方向全長にわたって形成されている。切込み２３に沿って側片部２１を切断することができる。切込み２３に沿って側片部２１を切断することにより、側片部２１の突出する幅寸法Ｌを寸法Ｌ１に短くすることができる。
【００１７】
切断された下部材２の先端は、上部材３の本体部３０の端部よりも被係合部２５側に位置するように設定されている。すなわち、切断された下部材２の先端は、本体部３０よりも突出しないように構成されている。
【００１８】
被係合部２５には、上面側を開口した嵌合溝が形成されている。嵌合溝は、取付部２０の上部の間隔が狭くなるアリ溝形状に形成されている。
【００１９】
上部材３は、被係合部２５よりも広い幅で帯板状の本体部３０と、本体部３０中央下面から突設された嵌合部３１とから構成されている。嵌合部３１の先端には、下部材２の嵌合溝２５に嵌合する係止部３１ａが形成されている。
【００２０】
下部材２および上部材３は、合成樹脂（例えば、ＡＢＳ樹脂（アクリロニトリル、ブタジエン、スチレン共重合合成樹脂））製で押出成形により製造されている。また、上部材３は、一色だけでなく、化粧シートの色合いに適するように二色以上で製造されている。下部材２は、見えないため一色で製造されているが、二色以上で製造してもよい。
【００２１】
なお、図２および図３に示すように、下部材２および上部材３が嵌合した状態の使用状態において、高さＨは５ｍｍ程度、奥行き（側片部２１の長さ寸法）Ｗは１５〜３０ｍｍ程度、長手方向長さ寸法Ｍは２〜３ｍ程度の長尺を基本形状とし、所定の長さに合わせた状態（裁断或いは継ぎ足しを含む）として使用する。また、上部材３の本体部３０と下部材２の側片部２１との間には、所定の間隔Ｋを有している。
【００２２】
次に、以上のように構成された目地部材１の使用方法について説明する。まず、図４〜図６に示すように、目地部材１を平目地用として使用する場合について説明する。
【００２３】
ここで、建物の壁面や天井側の壁部５は、図４に示すように、下地シート６を、下地７に貼着し、さらにその下地シート６の上にシートの一例としての化粧シート４を貼着する場合を例示する。また、図４および図５は、説明のために一部を示す。
【００２４】
下地７は、モルタル、石膏ボード、合板あるいはフレキシブルボード等一般的な材料からなり、表面が平坦に仕上げられている。下地７には、下地シート６が接着剤などによって貼着されている。
【００２５】
下地シート６は、着磁性を有するものであり、例えば極めて薄い鋼製板（１ｍｍ以下）等の磁性体が使用される。また、下地シート６は、シート層中に着磁性を有する金属粉を含有させたシートであっても良く、鉄粉、ケイ素鋼やフェライト粉末等の金属粉を樹脂シート又はゴムシートに含ませることで得られる。なお、下地シート６の表面が化粧シート４の下地面６ａとなる。
【００２６】
化粧シート４は、マグネットシートが使用され、その表面が印刷等により適宜装飾されている。化粧シート４は、下地シート６の下地面６ａに貼替え可能に磁気吸着される。
【００２７】
下地シート６の下地面６ａには、下部材２の側縁部２１，２１が接着剤その他方法で接着される。そして、図４に示すように、下部材２における側片部２１，２１上に隣接する化粧シート４，４の端部をそれぞれ重ねるとともに、中央部に立設した取付部２０の両側面に沿わせる。この状態で側片部２１，２１は、下地面６ａと化粧シート４との間に介在する。
【００２８】
側片部２１，２１が下地面６ａと化粧シート４との間に介在された状態で、下部材２の取付部２０に形成した嵌合溝２５に、上部材３の嵌合部３１を強制的に差し込むことにより、係止部３１ａは弾性力に抗して嵌合溝２５内に嵌入（アリ溝構造により嵌合）されるため、使用状態が維持される。これにより、図５に示すように、上部材３が化粧シート４の端部を覆った状態となるようにして使用する。
【００２９】
化粧シート４は、様々な厚さのものが使用され、図６（ａ）は薄い化粧シート４を使用した場合を例示し、図６（ｂ）は厚い化粧シート４を使用した場合を例示する。上部材３の本体部３０と下部材２の側片部２１との間には、所定の間隔Ｋを有しているため、薄い化粧シート４および厚い化粧シート４の何れの場合であっても、支障なく使用することが可能となる。
【００３０】
次に、図７〜図９に示すように、目地部材１を見切り用として使用する場合について説明する。なお、下地シート６の下地面６ａは、前記同様に平面状となっている。
【００３１】
先ず、図７および図８に示すように、目地部材１の一方の側片部２１を切込み２３に沿って切断する。この側片部２１の切断に際しては、カッター等の工具を使用して容易に切断することができる。そして、目地部材１の短い方の側片部２１ａが外側（化粧シート４を貼着しない側）となるように下地シート６に重ねる。そして、この目地部材１の長い方の側片部２１ｂに化粧シート４の端部を被覆する。
【００３２】
さらに、下部材２の取付部２０に形成した嵌合溝２５に、上部材３の係止部３１ａを強制的に差し込むことにより、化粧シート４の端部を覆った状態となるようにして使用する。
【００３３】
次に、図１０に示すように、目地部材１を入隅用として使用する場合について説明する。
【００３４】
先ず、見切り用と同じく、目地部材１の一方の側片部２１を切込み２３に沿って切断する。下部材２を壁部５の下地面６ａの角部に位置させ、切断されていない長い方の側片部２１ｂ上に一方の化粧シート４の端部を重ねる。
【００３５】
さらに、短い方の側片部２１ａの先端部および上部材の本体部３０の先端部を、他方側の化粧シート４ｂの端部に当接または接近させる。これにより、両方の化粧シート４，４ｂの端部は、本体部３０により被覆されるため、両方の化粧シート４，４ｂの端部を隠すことができる。
【００３６】
以上のように、本実施形態の目地部材１は、下部材２の側片部２１を切断することなくそのまま使用することにより、平目地用として使用することができる。また、下部材２の側片部２１を適宜切断することにより、見切り用や入隅用として使用することができる。この結果、作業者は、現場の状況に応じて目地部材１を使用できることとなり、取付作業が容易且つ簡単になり、作業効率が向上する。
【００３７】
目地部材１の色合いを室内色等に合わせて複数色を準備する場合も考えられる。このような場合であっても、下部材２は上部材３に覆われて目視し難くなるので、下部材２は単色のものを製造すればよい。このことにより、部品点数の減少と製造コストの低減を図れるとともに、現場での下部材２と上部材３との同色にする色合わせの手間も省けるので、作業の煩雑さも解消できる。
【００３８】
本実施形態の目地部材１の下部材２は、取付部２０の両側に同じ長さの側片部２１，２１を突設して左右対称に形成しているので、左右のバランスがよく、側片部２１を薄肉に成形できる。このため、目地部材１は、上部材３の本体部３０と下部材２の側片部２１との間に、所定の間隔Ｋを有しているにもかかわらず、高さＨも小さくできることとなる。
【００３９】
以上、本発明を実施の形態に基づいて説明したが、本発明は、上記実施の形態に限定されるものではない。例えば、切込み２３は、単数に限らず複数本を平行に設けてもよい。また、壁部の下地材に化粧シートを接着剤で貼着する施工方法であってもよい。本発明と同一および均等の範囲内において、上記の実施の形態に対して種々の変更を加えることが可能である。
【００４０】
また、上記実施の形態では、下地シート６として着磁性を有するものを使用し、化粧シート４はマグネットシートを使用した。しかし、下地シート６は、着磁性を有しないものを使用し、化粧シート４は、一般的な布製、ビニル製、紙製などを使用してもよい。
【符号の説明】
【００４１】
１          目地部材
２          下部材
３          上部材
４          シート（化粧シート）
６ａ        下地面
７          下地
２０        取付部
２１        側片部
２１ａ      短い方の側片部
２１ｂ      長い方の側片部
２３        切込み（切断手段）
２５        嵌合溝（被係合部）
３０        本体部
３１        嵌合部
３１ａ      係止部
Ｌ          幅寸法
【図１】
2018009290.tif 000003
【図２】
2018009290.tif 000004
【図３】
2018009290.tif 000005
【図４】
2018009290.tif 000006
【図５】
2018009290.tif 000007
【図６】
2018009290.tif 000008
【図７】
2018009290.tif 000009
【図８】
2018009290.tif 000010
【図９】
2018009290.tif 000011
【図１０】
2018009290.tif 000012